【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
デジタルイメージにおける領域をスクリーニングする方法であって、
該方法は、
（Ａ）該領域を複数のピクセルの２次元のアレイに分割するステップであって、該アレイは、ｍ行ｎ列のピクセルを有し、ｍ≧２である、ステップと、
（Ｂ）該アレイにおける各列に対して、第１の対応する位相シフトおよび第２の対応する位相シフトを選択するステップと、
（Ｃ）該アレイにおける各ピクセルに対して、
（１）該ピクセルを含む該列を識別するステップと、
（２）該識別された列に対して選択された該第１の対応する位相シフトおよび該第２の対応する位相シフトを識別するステップと、
（３）該識別された第１の対応する位相シフトに対応する該ピクセルにおける第１の位置を中心とする第１のドットをプリントするステップと、
（４）該識別された第２の対応する位相シフトに対応する該ピクセルにおける第２の位置を中心とする第２のドットをプリントするステップと
を実行するステップと
を包含し、
該識別された第１の対応する位相シフトおよび該識別された第２の対応する位相シフトは、該デジタルイメージにおける該領域において生じうる密度変化の範囲を制限する、方法。
【請求項２】
前記ステップ（Ｂ）は、前記第１の対応する位相シフトおよび前記第２の対応する位相シフトのそれぞれに対して、
（Ｂ）（１）値Ｎを選択するステップと、
（Ｂ）（２）１組のＮ個の位相シフトを０からＮ−１までの１組の位相シフト指標番号に指標付けするステップと、
（Ｂ）（３）該アレイにおける０からｎ−１までの各列ｉに対して、
（Ｂ）（３）（ａ）該位相シフト指標番号をＮを法とするｉに設定するステップと、
（Ｂ）（３）（ｂ）該１組の位相シフト指標番号に従って該１組のＮ個の位相シフトから該対応する位相シフトを選択するステップと
を実行するステップと
を包含する、請求項１に記載の方法。
【請求項３】
Ｎ＝３である、請求項２に記載の方法。
【請求項４】
前記ステップ（Ｂ）（２）における前記１組のＮ個の位相シフトは、該１組のＮ個の位相シフトの順序を示すパターン１  ２  ３によって特徴付けられる、請求項３に記載の方法。
【請求項５】
前記ステップ（Ｂ）（２）における前記１組のＮ個の位相シフトは、該１組のＮ個の位相シフトの順序を示すパターン３  ２  １によって特徴付けられる、請求項３に記載の方法。
【請求項６】
Ｎ＝５である、請求項２に記載の方法。
【請求項７】
前記ステップ（Ｂ）（２）における前記１組のＮ個の位相シフトは、該１組のＮ個の位相シフトの順序を示すパターン１  ２  ３  ４  ５によって特徴付けられる、請求項６に記載の方法。
【請求項８】
前記ステップ（Ｂ）（２）における前記１組のＮ個の位相シフトは、該１組のＮ個の位相シフトの順序を示すパターン５  ４  ３  ２  １によって特徴付けられる、請求項６に記載の方法。
【請求項９】
前記ステップ（Ｂ）（２）における前記１組のＮ個の位相シフトは、該１組のＮ個の位相シフトの順序を示すパターン１  ４  ２  ５  ３によって特徴付けられる、請求項６に記載の方法。
【請求項１０】
前記ステップ（Ｂ）（２）における前記１組のＮ個の位相シフトは、該１組のＮ個の位相シフトの順序を示すパターン５  ２  ４  １  ３によって特徴付けられる、請求項６に記載の方法。
【請求項１１】
前記複数のピクセルのアレイにおける各ピクセルは、前記デジタルイメージにおいて正確に１つのピクセルを含む、請求項１に記載の方法。
【請求項１２】
前記ステップ（Ｃ）（３）においてプリントされる前記第１のドットは、実質的に円形のドットである、請求項１に記載の方法。
【請求項１３】
前記ステップ（Ｃ）（３）においてプリントされる前記第１のドットは、実質的に楕円形のドットである、請求項１に記載の方法。
【請求項１４】
前記ステップ（Ｂ）は、複数の第１の対応する位相シフトを生成し、該複数の第１の対応する位相シフトは、一連の等間隔の値を形成する、請求項１に記載の方法。
【請求項１５】
前記ステップ（Ｃ）（３）は、マルチプルヘッドプリンターにおける第１のプリントヘッドによって実行され、前記ステップ（Ｃ）（４）は、該マルチプルヘッドプリンターにおける第２のプリントヘッドによって実行される、請求項１に記載の方法。
【請求項１６】
前記ステップ（Ｃ）（３）によって生成される出力は、前記ステップ（Ｃ）（４）によって生成される出力に少なくとも部分的に重なり合う、請求項１５に記載の方法。
【請求項１７】
前記第１のプリントヘッドは、前記デジタルイメージにおける第１のカラー面をプリントし、前記第２のプリントヘッドは、該デジタルイメージにおける第２のカラー面をプリントする、請求項１５に記載の方法。
【請求項１８】
前記ステップ（Ｂ）において選択される複数の前記第１の対応する位相シフトは、パターン１  ２  ３によって特徴付けられ、前記ステップ（Ｂ）において選択される複数の前記第２の対応する位相シフトは、パターン３  ２  １によって特徴付けられ、各パターンは、前記１組のＮ個の位相シフトのそれぞれの順序を示す、請求項１に記載の方法。
【請求項１９】
前記ステップ（Ｂ）において選択される複数の前記第１の対応する位相シフトは、パターン１  ２  ３  ４  ５によって特徴付けられ、前記ステップ（Ｂ）において選択される複数の前記第２の対応する位相シフトは、パターン５  ４  ３  ２  １によって特徴付けられ、各パターンは、前記１組のＮ個の位相シフトのそれぞれの順序を示す、請求項１に記載の方法。
【請求項２０】
前記ステップ（Ｂ）において選択される複数の前記第１の対応する位相シフトは、パターン１  ４  ２  ５  ３によって特徴付けられ、前記ステップ（Ｂ）において選択される複数の前記第２の対応する位相シフトは、パターン５  ２  ４  １  ３によって特徴付けられ、各パターンは、前記１組のＮ個の位相シフトのそれぞれの順序を示す、請求項１に記載の方法。
【請求項２１】
前記ステップ（Ｃ）（３）は、サーマルプリントヘッドを用いて実行される、請求項１に記載の方法。
【請求項２２】
（Ｄ）前記ステップ（Ｃ）（４）の前に、前記選択された複数の第１の対応する位相シフトのそれぞれによって特定された前記デジタルイメージにおける複数の位置においてイメージデータを取得するために、該デジタルイメージを再サンプリングするステップをさらに包含する、請求項１に記載の方法。
【請求項２３】
デジタルイメージにおける領域をスクリーニングする装置であって、
該装置は、
該領域を複数のピクセルの２次元のアレイに分割する手段であって、該アレイは、ｍ行ｎ列のピクセルを有し、ｍ≧２である、手段と、
該アレイにおける各列に対して、第１の対応する位相シフトを選択する選択手段と、
該アレイにおける各列に対して、第２の対応する位相シフトを選択する選択手段と、
該アレイにおける各ピクセルに対して、
該ピクセルを含む該列を識別する手段と、
該識別された列に対して選択された該第１の対応する位相シフトおよび該第２の対応する位相シフトを識別する手段と、
該識別された第１の対応する位相シフトに対応する該ピクセルにおける第１の位置を中心とする第１のドットをプリントする第１のプリント手段と、
該識別された第２の対応する位相シフトに対応する該ピクセルにおける第２の位置を中心とする第２のドットをプリントする第２のプリント手段と
を備える、装置。
【請求項２４】
前記第１の対応する位相シフトを選択する手段は、
値Ｎを選択する手段と、
１組のＮ個の位相シフトを０からＮ−１までの１組の位相シフト指標番号に指標付けする手段と、
前記アレイにおける０からｎ−１までの各列ｉに対して、
第１の位相シフト指標番号をＮを法とするｉに設定する手段と、
該１組の第１の位相シフト指標番号に従って該１組のＮ個の位相シフトから該第１の対応する位相シフトを選択する手段と
を備える、請求項２３に記載の装置。
【請求項２５】
Ｎ＝３である、請求項２４に記載の装置。
【請求項２６】
前記選択手段における前記１組のＮ個の位相シフトは、該１組のＮ個の位相シフトの順序を示すパターン１  ２  ３によって特徴付けられる、請求項２５に記載の装置。
【請求項２７】
前記選択手段における前記１組のＮ個の位相シフトは、該１組のＮ個の位相シフトの順序を示すパターン３  ２  １によって特徴付けられる、請求項２５に記載の装置。
【請求項２８】
Ｎ＝５である、請求項２４に記載の装置。
【請求項２９】
前記選択手段における前記１組のＮ個の位相シフトは、該１組のＮ個の位相シフトの順序を示すパターン１  ２  ３  ４  ５によって特徴付けられる、請求項２８に記載の装置。
【請求項３０】
前記選択手段における前記１組のＮ個の位相シフトは、該１組のＮ個の位相シフトの順序を示すパターン５  ４  ３  ２  １によって特徴付けられる、請求項２８に記載の装置。
【請求項３１】
前記選択手段における前記１組のＮ個の位相シフトは、該１組のＮ個の位相シフトの順序を示すパターン１  ４  ２  ５  ３によって特徴付けられる、請求項２８に記載の装置。
【請求項３２】
前記選択手段における前記１組のＮ個の位相シフトは、該１組のＮ個の位相シフトの順序を示すパターン５  ２  ４  １  ３によって特徴付けられる、請求項２８に記載の装置。
【請求項３３】
前記複数のピクセルのアレイにおける各ピクセルは、前記デジタルイメージにおいて正確に１つのピクセルを含む、請求項２３に記載の装置。
【請求項３４】
前記第１のプリント手段は、各ドットを実質的に円形のドットとしてプリントする手段を備える、請求項２３に記載の装置。
【請求項３５】
前記第１のプリント手段は、各ドットを実質的に楕円形のドットとしてプリントする手段を備える、請求項２３に記載の装置。
【請求項３６】
前記選択する手段は、複数の第１の対応する位相シフトを生成し、該複数の第１の対応する位相シフトは、一連の等間隔の値を形成する、請求項２３に記載の装置。
【請求項３７】
前記第１のプリント手段は、マルチヘッドプリンターにおける第１のプリントヘッドを備え、前記第２のプリント手段は、該マルチヘッドプリンターにおける第２のプリントヘッドを備える、請求項２３に記載の装置。
【請求項３８】
前記第１のプリント手段によって生成される出力は、前記第２のプリント手段によって生成される出力に少なくとも部分的に重なり合う、請求項３７に記載の装置。
【請求項３９】
前記第１のプリントヘッドは、前記デジタルイメージにおける第１のカラー面をプリントし、前記第２のプリントヘッドは、該デジタルイメージにおける第２のカラー面をプリントする、請求項３７に記載の装置。
【請求項４０】
複数の前記第１の対応する位相シフトは、パターン１  ２  ３によって特徴付けられ、複数の前記第２の対応する位相シフトは、パターン３  ２  １によって特徴付けられ、各パターンは、前記１組のＮ個の位相シフトのそれぞれの順序を示す、請求項２３に記載の装置。
【請求項４１】
複数の前記第１の対応する位相シフトは、パターン１  ２  ３  ４  ５によって特徴付けられ、複数の前記第２の対応する位相シフトは、パターン５  ４  ３  ２  １によって特徴付けられ、各パターンは、前記１組のＮ個の位相シフトのそれぞれの順序を示す、請求項２３に記載の装置。
【請求項４２】
複数の前記第１の対応する位相シフトは、パターン１  ４  ２  ５  ３によって特徴付けられ、複数の前記第２の対応する位相シフトは、パターン５  ２  ４  １  ３によって特徴付けられ、各パターンは、前記１組のＮ個の位相シフトのそれぞれの順序を示す、請求項２３に記載の装置。
【請求項４３】
前記第１のプリント手段は、サーマルプリントヘッドを備える、請求項２３に記載の装置。
【請求項４４】
前記選択された複数の第１の対応する位相シフトのそれぞれによって特定された前記デジタルイメージにおける複数の位置においてイメージデータを取得するために、該デジタルイメージを再サンプリングする手段をさらに備える、請求項２３に記載の装置。